(57)【要約】【課題】  煩わしいオペレーションを必要としない印刷装置を提供する。【解決手段】  外部装置から送信された頁単位の印刷データを印刷出力情報に展開して印刷出力する印刷装置において、印刷装置内で給紙処理実行を実行する際に給紙遅延ジャムが発生した場合、外部装置に印刷装置にて給紙するべき用紙が無くなったことを示す情報を送信する送信手段を有する。【選択図】  図１
2006167974.tif 000002
【特許請求の範囲】
【請求項１】
外部装置から送信された頁単位の印刷データを印刷出力情報に展開して印刷出力する印刷装置において、前記印刷装置内で給紙処理実行を実行する際に給紙遅延ジャムが発生した場合、前記外部装置に前記印刷装置にて給紙するべき用紙が無くなったことを示す情報を送信する送信手段を有することを特徴とする印刷装置。
【請求項２】
前記外部装置へ前記用紙が無くなったことを示す情報を送信した後、前記外部装置から前記印刷装置における印刷処理を中止する旨の信号を受信した場合、前記印刷装置における印刷処理を中止する中止手段と、を有することを特徴とする請求項１に記載の印刷装置。
【発明の詳細な説明】
【技術分野】
【０００１】
本発明は、印刷装置に関する。
【背景技術】
【０００２】
従来このような印刷装置は、一つの双方向インタフェース（例えば、シリアル、パラレル、ＵＳＢ等々）を介してホストコンピュータと一対一で接続されているのが一般的な使用形態である。これにより、印刷装置のステータスをホストコンピュータの表示部に表示できるようになって来た。
【０００３】
一方、印刷装置は、より廉価な方向に向かっており、その為、従来の印刷装置では標準的に付いていた機能が取り払われるようになってきた。その一つとして、印刷装置の給紙部の用紙有無検知機能を取り払って、より廉価な印刷装置を実現しようとすることが考えられている。
【０００４】
なお、画像データに基づいて記録媒体に画像を記録する際、画像データの記録指示に応じて画像データを処理して記録データに変換する画像処理に先行して記録部の状態を判別し、エラーが発生しているとエラー表示を行い、エラーが発生していなければ印刷ジョブを開始して印刷処理を実行する技術が知られている（例えば、特許文献１参照。）。
【特許文献１】特開２００３−２４６１２７号公報
【発明の開示】
【発明が解決しようとする課題】
【０００５】
ここで、前述したような用紙無し検知機能も無いような廉価版小型印刷装置を用いた印刷システムにおいては、印刷実行時に用紙が無いと給紙遅延ジャムが発生する。ホストコンピュータ等の外部装置側は、給紙遅延ジャムが発生したことを検知すると画面上に“用紙無し”を表示する。
【０００６】
ここで、操作者が画面上で印刷ジョブをキャンセルした場合、印刷すべきデータは無くなってしまうのに、ホストコンピュータ等の外部装置の画面上には“用紙無し”の表示が残ってしまう。この“用紙無し”エラーを解除する為には、操作者は印刷すべきデータが無いにも拘わらず、印刷装置の給紙部に用紙をセットし、更に、“用紙無し”解除操作を行なわなくてはならないという煩わしい操作が発生してしまう。
【課題を解決するための手段】
【０００７】
上記の課題を解決する本発明は、外部装置から送信された頁単位の印刷データを印刷出力情報に展開して印刷出力する印刷装置において、前記印刷装置内で給紙処理実行を実行する際に給紙遅延ジャムが発生した場合、前記外部装置に前記印刷装置にて給紙するべき用紙が無くなったことを示す情報を送信する送信手段を有することを特徴とする。
【発明の効果】
【０００８】
“用紙無し”発生時に操作者が画面上で印刷ジョブのキャンセル操作するだけで、印刷装置がアイドル状態に戻ることが可能となるので、印刷データが無いにもかかわらず紙無し解除操作を行なわなくてはならないという煩わしいオペレーションから開放される。
【発明を実施するための最良の形態】
【０００９】
以下、添付の図面を参照しながら本発明の実施例を説明する。
【００１０】
ここで、印刷装置としては、発光素子としてレーザビームを用いた電子写真プロセスを印刷機構（エンジン）とする頁単位の印刷装置を実施例に取って説明する。
【００１１】
まず、図１は、本発明に於ける印刷装置及び印刷システムの機能構成を示す概略ブロック図である。
【００１２】
図１に於いて、１００は印刷装置を表わし、１０１はパーソナルコンピュータやワークステーション等のホストコンピュータを表わす。また、１０２は印刷装置内の印刷機構部（エンジン）を表わし、１０３は、印刷機構部を制御したり、１０１のホストコンピュータとのデータの遣り取りを制御する為の印刷制御部を表わす。
【００１３】
１０４は、１０２印刷機構部内の各機能の制御を司る印刷機構制御手段を表わす。印刷機構制御手段は、１０２印刷機構部内の各種エラー検知手段の制御を行ったり、後述する１０６印刷制御手段との各種データの遣り取りの制御を行なう。
【００１４】
１０５は、１０２印刷機構部内で給紙遅延ジャムが発生したかどうかを検知する為の給紙遅延ジャム検知手段を表わす。給紙遅延ジャム検知手段は給紙処理時に用紙を正しく給紙できなかった場合に、給紙遅延ジャムが発生したとみなし、給紙遅延ジャムを検知したことを１０４印刷機構制御手段へ通知する。
【００１５】
ここで、１０４印刷機構制御手段は、給紙遅延ジャムの発生原因は給紙すべき用紙が無かったものとみなして、後述する１０６印刷制御手段に“用紙無し”情報を通知する。
【００１６】
１０６は、１０３印刷制御部全体の制御を司る印刷制御手段を表わす。印刷制御手段は、１０１のホストコンピュータから印刷出力データを受け取り、印刷出力データをビデオ信号に変換して１０４の印刷機構制御手段に送信したり、逆に、１０４の印刷機構制御手段から１０２印刷機構部の状態（ステータス）を受け取り、これを１０１ホストコンピュータに返送したりする。
【００１７】
１０４印刷機構制御手段によって検知された“用紙無し”情報も１０６印刷制御手段を介して１０１ホストコンピュータに通知される。
【００１８】
また、“用紙無し”情報は、１０６印刷制御手段を介して後述する１０７紙無し解除手段にも通知される。
【００１９】
１０７は、紙無し状態を解除する為のユーザインタフェース手段を表わす。即ち、前期１０６印刷制御手段から通知された“用紙無し”情報を、１００印刷装置の表示部に表示する手段と、ユーザが紙無し解除操作を行なったことを１０６印刷制御手段に通知する手段を有する。
【００２０】
尚、１０４から１０７までが、１００印刷装置内の各機能を表わす。
【００２１】
次に、１０８は、１０１のホストコンピュータ内における印刷処理手段を表わす。１０８印刷処理手段は、頁単位で印刷データを生成し、１００印刷装置に送信したり、印刷装置から返送されてくる印刷装置のステータスを受け取ったりする。
【００２２】
１０９は、任意のドキュメントの印刷出力実行中に、若しくは、印刷中に何らかのエラーが発生した状態で、ユーザが印刷出力を中止したい場合、ホストコンピュータ上で印刷をキャンセルする印刷キャンセル手段を表わす。
【００２３】
次に、１１０は、１０１ホストコンピュータにおける表示手段を表わす。一般的にはＣＲＴ等の表示装置に対する表示手段を表わす。
【００２４】
ここでは、１１０表示手段は、１００印刷装置から返送されてくるステータスを、例えば、図１５に示すような表示形態で１０１ホストコンピュータの表示装置に表示する。
【００２５】
また、前期１０６印刷制御手段を介して、前期１０２印刷機構部から“用紙無し”情報が通知された場合には、ユーザに用紙の補給を促すステータスを、例えば、図１４に示すような表示形態で１０１ホストコンピュータの表示装置に表示する。
【００２６】
次に、図２は、本発明の主眼を表わす図である。
【００２７】
ここで、左端のホストコンピュータが図１の１０１ホストコンピュータ内での動作を表わし、中央の印刷制御部が図１の１０３印刷制御部内での動作を表わし、右端の印刷機構部が図１の１０２印刷機構部内での動作を表わす。
【００２８】
まず、ユーザがホストコンピュータ上で任意のドキュメントの印刷出力を指示すると、ホストコンピュータは印刷制御部に対して印刷を開始するように命令２０１を発行する。
【００２９】
印刷機構部は、２０１印刷開始命令を受け取ると、印刷機構部に対して給紙を実行させる為に給紙コマンド２０２を送信する。
【００３０】
通常の場合は、正しく給紙動作が行なわれ印刷出力が実行される。この動作を任意のドキュメントの頁数分繰り返すことにより一連の印刷出力が終了する。
【００３１】
このとき、ホストコンピュータの画面上には図１６に示すようなステータスが表示される。
【００３２】
一方、印刷機構部が印刷機構部に対して給紙コマンド２０２を送信した際に、印刷機構部内で給紙遅延ジャムが検知されると、印刷機構部は給紙遅延ジャム検知情報２０３を印刷制御部に返送する。
【００３３】
ここで、印刷制御部は印刷機構部から給紙遅延ジャム検知情報２０３を受け取ると、給紙すべき用紙が無いものとみなして、ホストコンピュータに“用紙無し”情報２０４を返送する。
【００３４】
次に、ホストコンピュータは、印刷制御部から“用紙無し”情報２０４を受け取ると、ホストコンピュータの画面上に図１４に示すようなステータス２０５を表示して、ユーザの操作待ちとなる。
【００３５】
このとき、印刷制御部内では、後述する図９の４０８内の９０２用紙無しＬＥＤ（図１の１０７紙無し解除手段の表示部に対応）が点滅することにより、ユーザに紙無しが発生したことを知らせる。
【００３６】
ここで、一般的には、ユーザは用紙を印刷装置に補給し、後述する図９の４０８内の９０３紙無し解除ボタン（図１の１０７紙無し解除手段の紙無し解除操作通知手段に対応）を押下することにより印刷が続行される。
【００３７】
一方、２０５のユーザ操作待ちの状態で、例えば、図１４の１４０１キャンセルボタンを指示することにより、ユーザがホストコンピュータの画面上から印刷処理をキャンセルした場合、ホストコンピュータは印刷キャンセル命令２０６を印刷制御部に発行する。
【００３８】
次に、印刷制御部は印刷キャンセル命令２０６を受け取ると、印刷機構部に対して“用紙無し”状態を解除する為に給紙遅延ジャム解除コマンド２０７を発行する。
【００３９】
印刷機構部は、給紙遅延ジャム解除コマンド２０７を受け取ると、給紙遅延ジャムの解除処理２０８を行い、その旨を印刷制御部に返送する。
【００４０】
次に、印刷制御部は、印刷機構部から給紙遅延ジャム解除通知を受け取ると、給紙遅延ジャム解除通知２０９をホストコンピュータに返送する。このとき、印刷制御部は、後述する図９の４０８内の９０２用紙無しＬＥＤ（図１の１０７紙無し解除手段の表示部に対応）の点滅を停止する。
【００４１】
次に、ホストコンピュータは、印刷制御部から給紙遅延ジャム解除通知２０９を受け取ると、印刷キャンセル処理が正しく行なわれたと認識して、ホストコンピュータの画面表示を、図１５に示すようにアイドル状態に戻す。
【００４２】
次に、図３及び図８に、印刷装置であるレーザビームプリンタの一例を示す。
【００４３】
ここで、図８の８０１は給紙部の用紙有無を検知する為のセンサであるが、本発明にかかる印刷装置は、図３に示すように給紙部の用紙有無センサが無い印刷装置を想定するものである。
【００４４】
ここで、３０２・３０３は、用紙検知センサを表わす。３０２は、給紙口におけるジャムセンサを表わし、３０３は、排紙口におけるジャムセンサを表わす。
【００４５】
特に、給紙口におけるジャムセンサ３０２により給紙遅延ジャムを検知することが可能となる。
【００４６】
即ち、給紙処理を開始後一定時間経過しても給紙口におけるジャムセンサ３０２において、用紙を検知できない場合給紙遅延ジャムと認識する。
【００４７】
次に、図４は、本発明にかかる印刷装置の一例を示す概念図である。
【００４８】
ここで、印刷装置としては、発光素子としてレーザビームを使用したレーザビームプリンタ４０２（図１の１００に対応）を例とし、印刷装置に各種印刷データを送信するためのホストコンピュータ４０１（図１の１０１に対応）とが接続されている。印刷装置４０２は、コントローラ部４０３（図１の１０３印刷制御部に対応）とエンジン部４０４（図１の１０２印刷機構部に対応）とから構成される。
【００４９】
エンジン部４０４は、エンジン部内の全体をコントロールする制御部４０５（図１の１０４印刷機構制御手段に対応）と、画像を形成するための光学系４０６と、印刷処理を行なう電子写真プロセス・給紙搬送系４０７とから構成される。
【００５０】
制御部４０５は、コントローラ部４０３からのビデオ信号や制御コマンドを受信したり、エンジン部４０４のステータスをコントローラ部４０３に送信したり、電子写真プロセスや給紙搬送系及び光学系を制御する。また、制御部４０５は各種エラー検知機能を有し、電子写真プロセス・給紙搬送系４０７から各種エラー情報を受け取り、これらの情報を元に印刷装置のステータス情報を作成し、コントローラ部４０３に伝達される。
【００５１】
また、コントローラ部４０３は、印刷装置に於ける操作パネル４０８を有している。
【００５２】
次に、図５は、本発明にかかる印刷装置の電子写真プロセス・給紙搬送系の一例を示した図である。電子写真プロセス・給紙搬送系４０７は、給紙カセット５０１と、給紙カセット５０１から用紙を給紙するための給紙ローラ５０２と、感光ドラム５０３と、定着器５０４とを備えている。また、図５は、給紙搬送系中における用紙５０５の搬送状態を表わしている。
【００５３】
次に、図６は、図４に示したプリンタコントローラ４０３の詳細構成を説明するブロック図である。
【００５４】
図６において、６０１はホストコンピュータインタフェース回路を表わし、ホストコンピュータ４０１との信号の入出力部として機能する。
【００５５】
６０２はプリンタコントローラ４０３全体の制御を司る中央演算装置（ＣＰＵ）を表わす。
【００５６】
６０３は、印刷装置の電源ON/OFFでも失われない情報を格納しておく為の不揮発性メモリを表わし、例えば、ＥＥＰＲＯＭ等で構成される。
【００５７】
６０４は、中央演算装置（ＣＰＵ）６０２によって実行される制御プログラムを格納したメモリ（ＲＯＭ）を表わす。６０５は、６０４のメモリ（ＲＯＭ）に格納された制御プログラムを実行するに当たって、必要な情報を格納する為の書き換え可能なメモリ（ＲＡＭ）を表わす。
【００５８】
ここで、ホストコンピュータ４０１から送信される印刷データの受信ＢＵＦＦＥＲや、印刷データを基にイメージデータ（ビットマップデータ）を生成し格納する領域等は、６０５内のメモリ（ＲＡＭ）に確保される。
【００５９】
６０６は、書き換え可能なメモリ（ＲＡＭ）６０５内に格納されたイメージデータを画像信号ＶＤＯに変換する為の出力バッファレジスタを表わし、６０７は、ＢＤ信号に同期した画像クロック信号ＶＣＬＫを発生する同期クロック発生回路を表わし、更に、６０８は、印刷機構部４０４との信号の入出力部であるインタフェース回路を表わす。
【００６０】
次に、図７のブロック図を用いて、当印刷制御システムにおける印刷制御方法の動作を説明する。
【００６１】
まず、図７の４０１ホストコンピュータの起動と同時に、ホストコンピュータ内の７０２印刷情報解析部、７０６印刷命令生成部、７０８印刷環境検知部が起動される。
【００６２】
その際、画面表示・操作制御部７０９では、ホストコンピュータ４０１の画面を通して、図１５に示すような印刷装置４０２のステータスを表示したり、ユーザが当印刷装置４０２に対しての印刷環境を設定可能に構成されている。
【００６３】
ここで、印刷命令生成部７０６は、定期的に印刷装置４０２に対して印刷装置のステータス情報の取得命令を送信し、印刷装置４０２のステータス情報はホストコンピュータ４０１に転送される。次に、ホストコンピュータ４０１内の印刷環境検知部７０８が印刷装置４０２から送信されたステータス情報を受信し、ステータス情報を画面表示・操作制御部７０９、及び、印刷情報解析部７０２に通知する。
【００６４】
画面表示・操作制御部７０９は、印刷装置４０２から送信されたステータス情報に基づき、印刷装置の状態（印刷装置のステータス）を、図１５に示すような形式（印刷装置のステータスウィンドウ）でホストコンピュータ４０１上の画面に表示する。
【００６５】
次に、ホストコンピュータ４０１からの印刷出力処理に関して簡単に説明する。
【００６６】
ここで、ユーザが図７の７０１に示すような何らかのアプリケーションプログラムの実行中に印刷出力を指示すると、７０１のアプリケーションプログラムが描画命令・制御命令等の印刷情報を７０２印刷情報解析部に送出する。
【００６７】
７０２印刷情報解析部は、７０１アプリケーションプログラムから出力される印刷情報を解析した後、画像情報を７０３画像情報生成部に出力する。
【００６８】
ここで、印刷情報とは、実際に印刷処理を行なう為の文字コード・図形・イメージ等のデータや、印刷位置や大きさ、印刷の向き（オリエンテーション）等を指定する印刷描画命令のことである。
【００６９】
７０３の画像情報生成部は、頁単位の画像情報を当印刷装置及び印刷制御方法独自の中間言語に変換する。ここで、７０３の画像情報生成部は、一頁分の中間言語が生成されると、中間言語を７０４イメージデータ展開・圧縮部に送出する。
【００７０】
次に、７０４のイメージデータ展開・圧縮部は、中間言語に基づいて印刷イメージデータを展開し、展開されたイメージデータに圧縮処理を施し、圧縮イメージデータを７０５スプールファイル管理部に送出する。
【００７１】
次に、７０５スプールファイル管理部は、前記７０４のイメージデータ展開・圧縮部から送出された圧縮イメージデータをスプールファイルに書き込むと同時に、一頁分の圧縮イメージデータがスプールファイルに書き込まれると、圧縮イメージデータを順次読み出し、７０６の印刷命令生成部に送出する。
【００７２】
７０６印刷命令生成部は、スプールファイルから読み出した圧縮イメージデータを、インターフェースケーブルを介して、４０２の印刷装置に転送する。
【００７３】
ここで、図７の７０７印刷キャンセル処理部は、印刷処理実行中、若しくは、印刷中に何らかのエラーが発生した状態で、ユーザが印刷出力を中止したい場合、ホストコンピュータ上で印刷をキャンセルする印刷キャンセル処理部を表わす。
【００７４】
７０７印刷キャンセル処理部は、例えば、印刷処理中に“用紙無し”が発生した場合、ユーザが図１４の１４０１キャンセルボタンを指示することにより印刷処理をキャンセルする。実際には、ホストコンピュータ内の処理として、図２の２０６印刷キャンセル命令の発行から、２０９給紙遅延ジャム解除通知の受信までを行なう。
【００７５】
ここで、図７の７０２から７０９が、図１の１０８印刷処理手段に対応する。
【００７６】
次に、図７の４０２印刷装置について説明する。
【００７７】
まず、４０１ホストコンピュータは、一頁分の圧縮イメージデータがスプールファイルに書き込まれると、７０６印刷命令生成部を介して４０２印刷装置に対し印刷開始命令を送信する。４０１のホストコンピュータから送出された印刷開始命令は、４０３のプリンタコントローラ（図１の１０７印刷制御手段に対応）を経由して４０５のエンジンコントローラに転送される。
【００７８】
また、７０６印刷命令生成部を介して、４０１のホストコンピュータから送出された圧縮イメージデータは、４０３プリンタコントローラ内の画像メモリ（図６の６０５ＲＡＭに対応）へ転送され、元のイメージデータに伸張された後ビデオ信号に変換され、更に実際の印刷処理を行なう４０７のプリンタエンジンに送られる。
【００７９】
ここで、４０５のエンジンコントローラと４０７のプリンタエンジンが４０４の印刷機構部（図１の１０２印刷機構部に対応）を構成する。
【００８０】
更に、４０４の印刷機構部内の各種エラー情報は、４０３のプリンタコントローラを介して４０１のホストコンピュータに転送される。次に、前述したように、４０１ホストコンピュータ内の７０８印刷環境検知部が、４０２の印刷装置から送信された各種エラー情報を受信し、７０９画面表示・操作制御部にこれらの情報を通知する。
【００８１】
次に、図９は、図４に示した操作パネル４０８の詳細構成を説明するブロック図である。ここで、９０１はＬＣＤ等の表示装置を表わし、９０２は用紙無し状態を示すＬＥＤを表わす。また、９０３は用紙無し解除ボタンを表わす。
【００８２】
次に、本発明の概念を、図１０〜１３のフローチャートに従って説明する。
【００８３】
まず、図１０でホストコンピュータ上における動作を説明する。
【００８４】
ユーザが、ホストコンピュータから何らかの印刷を実行すると、ホストコンピュータ上で当フローチャートの処理が開始される。
【００８５】
まず、ユーザが印刷出力を指示したドキュメントの全ての頁が印刷出力されたかをチェックし（図１０ステップＳ１００１）、全頁印刷出力終了の場合は当処理を終了する。
【００８６】
図１０ステップＳ１００１で残りの頁が有る場合には、当該頁の印刷出力処理を実行する（図１０ステップＳ１００２）。当処理の詳細に関しては、図１１に記す。
【００８７】
次に、図１０ステップＳ１００２で正常に当該頁の印刷出力が終了した場合は、図１０ステップＳ１００１に戻り、次頁の処理に移る。
【００８８】
図１０ステップＳ１００２で何らかのエラーが発生した場合は、図１０ステップＳ１００３に進み、エラー内容をホストコンピュータの画面上（ステータスウィンドウ）に表示する（図１０ステップＳ１００３）。
【００８９】
例えば、ジャムが発生したような場合には、図１７に示すようなステータスウィンドウを表示する。
【００９０】
次に、図１０ステップＳ１００３で表示したエラーが“用紙無し”エラーかをチェックし（図１０ステップＳ１００４）、そうでない場合は通常のエラー処理（図１０ステップＳ１００５）を行なって、当該頁の印刷出力を行なう為に、図１０ステップＳ１００２に戻る。
【００９１】
図１０ステップＳ１００４で“用紙無し”エラーが発生している場合は、ユーザのオペレーション待ちとなる（図１０ステップＳ１００６）。
【００９２】
ここで、ユーザが印刷装置の給紙部に用紙をセットし、操作パネル４０８の紙無し解除ボタン９０３を押下することにより用紙無し解除を行なった場合は、当該頁の印刷出力を行なう為に、図１０ステップＳ１００２に戻る。
【００９３】
一方、ユーザが図１４の１４０１キャンセルボタンを指示することにより、ホストコンピュータの画面上から印刷処理をキャンセルした場合、図２の２０６印刷キャンセル命令、及び、図７の７０７印刷キャンセル処理部で説明した印刷キャンセル処理を実行する（図１０ステップＳ１００７）。
【００９４】
次に、印刷キャンセル処理が終了したら、ステータスウィンドウを図１５に示すような印刷可能状態（アイドル状態）に戻して処理を終了する（図１０ステップＳ１００８）。
【００９５】
次に、図１０ステップＳ１００２当該頁の印刷処理の詳細を、図１１のフローチャートに従って説明する。
【００９６】
まず、印刷装置が印刷可能な状態かどうかをチェックし（図１１ステップＳ１１０１）、印刷可能でない場合はエラーでリターンする。
【００９７】
図１１ステップＳ１１０１で印刷可能な場合（レディ状態）は、印刷開始命令（図２の２０１に対応）を印刷装置に対して発行する（図１１ステップＳ１１０２）。
【００９８】
次に、印刷開始命令に対して、印刷装置からのリターンステータスが“用紙無し”かどうかをチェックし（図１１ステップＳ１１０３）、“用紙無し”の場合はエラーでリターンする。
【００９９】
図１１ステップＳ１１０３で、用紙が有り、正しく給紙処理が行なわれた場合は、一頁分の圧縮イメージデータを印刷装置に転送して、当該頁の印刷処理を終了し、正常終了でリターンする（図１１ステップＳ１１０４）。
【０１００】
次に、印刷制御部内での給紙処理を、図１２のフローチャートに従って説明する。
【０１０１】
まず、印刷制御部は、ホストコンピュータから図２の２０１印刷開始命令を受信すると（図１２ステップＳ１２０１）、印刷機構部に対して図２の２０２給紙コマンドを発行する（図１２ステップＳ１２０２）。
【０１０２】
次に、印刷制御部は、印刷機構部からの給紙コマンドに対するリターンステータスを受信する（図１２ステップＳ１２０３）。
【０１０３】
次に、リターンステータスをみて給紙遅延ジャムが発生したかどうかをチェックする（図１２ステップＳ１２０４）。
【０１０４】
図１２ステップＳ１２０４で給紙遅延ジャムが発生している場合には、印刷装置の操作パネルの図９の９０２用紙無しＬＥＤを点滅させ（図１２ステップＳ１２０６）、ホストコンピュータに対して“用紙無し”ステータスを返送して処理を終了する（図１２ステップＳ１２０６）。
【０１０５】
一方、リターンステータスが正常な場合には、正しく給紙処理が実行されたとみなして、ホストコンピュータに対して正常終了ステータスを返送して処理を終了する（図１２ステップＳ１２０７）。
【０１０６】
次に、印刷制御部内での用紙無し時の印刷キャンセル処理を、図１３のフローチャートに従って説明する。
【０１０７】
まず、印刷制御部は、ホストコンピュータから図２の２０６印刷キャンセル命令を受信すると（図１３ステップＳ１３０１）、印刷機構部に対して図２の２０７給紙遅延ジャム解除コマンドを発行する（図１３ステップＳ１３０２）。
【０１０８】
次に、印刷制御部は、印刷機構部からの給紙遅延ジャム解除コマンドに対するリターンステータスを受信する（図１３ステップＳ１３０３）。
【０１０９】
次に、リターンステータスをみて給紙遅延ジャムが解除されたかどうかをチェックする（図１３ステップＳ１３０４）。
【０１１０】
リターンステータスが正常な場合には、正しく給紙遅延ジャムが解除されたとみなして、印刷装置の操作パネルの図９の９０２用紙無しＬＥＤを消灯させ（図１３ステップＳ１３０５）、ホストコンピュータに対して正常終了ステータスを返送して処理を終了する（図１３ステップＳ１３０６）。
【０１１１】
一方、図１３ステップＳ１３０４で何らかのエラーステータスが印刷機構部から返送された場合は、ホストコンピュータに対してエラーステータスを返送して処理を終了する（図１３ステップＳ１３０７）。
【０１１２】
＜他の実施例＞
本発明では、実施例としてレーザビームプリンタを取り上げたが、当然のこととして、ＬＥＤアレイ・液晶シャッタ等を発光素子とする印刷装置に対しても有効であることはいうまでもない。
【０１１３】
また、印刷機構として、電子写真プロセスを用いた印刷装置を想定したが、本発明は印刷機構の如何に関わらず、頁単位で印刷処理を行なう印刷機構であれば、どのような印刷機構（インクジェット、シリアル、熱転写等々）に対しても有効であることはいうまでもない。
【図面の簡単な説明】
【０１１４】
【図１】印刷装置を示す概略ブロック図である。
【図２】印刷キャンセル処理を表わした概略ブロック図である。
【図３】印刷装置であるレーザビームプリンタの一例を示す図である。
【図４】印刷装置内の印刷機構部の一般的な構成を表した概念図である。
【図５】用紙搬送系を表した概念図である。
【図６】プリンタコントローラ部のブロック図である。
【図７】印刷装置の動作を説明するためのブロック図である。
【図８】印刷装置であるレーザビームプリンタの一例を示す図である。
【図９】操作パネルを表した概念図である。
【図１０】ホストコンピュータにおける、印刷制御、及び、用紙無し時の処理を表したフローチャートである。
【図１１】図１０のステップS１００２の詳細処理を表したフローチャートである。
【図１２】印刷制御部内における給紙処理を表したフローチャートである。
【図１３】印刷制御部内における印刷キャンセル処理を表したフローチャートである。
【図１４】印刷装置のステータスをホストコンピュータに表示した例である。
【図１５】印刷装置のステータスをホストコンピュータに表示した例である。
【図１６】印刷装置のステータスをホストコンピュータに表示した例である。
【図１７】印刷装置のステータスをホストコンピュータに表示した例である。
【図１】
2006167974.tif 000003
【図２】
2006167974.tif 000004
【図３】
2006167974.tif 000005
【図４】
2006167974.tif 000006
【図５】
2006167974.tif 000007
【図６】
2006167974.tif 000008
【図７】
2006167974.tif 000009
【図８】
2006167974.tif 000010
【図９】
2006167974.tif 000011
【図１０】
2006167974.tif 000012
【図１１】
2006167974.tif 000013
【図１２】
2006167974.tif 000014
【図１３】
2006167974.tif 000015
【図１４】
2006167974.tif 000016
【図１５】
2006167974.tif 000017
【図１６】
2006167974.tif 000018
【図１７】
2006167974.tif 000019